(57)【要約】【課題】連写時においてユーザが意図しない露出の画像の生成を低減する撮像装置を提供する。【解決手段】撮像装置は、設定された露出で被写体を撮像し画像データを生成する撮像部と、自動露出機能により設定された露出を補正するための露出補正値と、第１の連写モード及び第１の連写モードよりも高速に連写を行う第２の連写モードを含む連写モードとを設定する操作部と、自動露出機能を実現するための自動露出制御を制御する制御部と、を備える。制御部は、第２の連写モードが設定された際に露出補正値が所定範囲内にあるか否かを判定する（Ｓ１３２）。制御部は、露出補正値が所定範囲内にあると判定した場合（Ｓ１３２でＹＥＳ）、第２の連写モードでの連写動作中に自動露出制御を行い（Ｓ１３３〜Ｓ１３５）、露出補正値が所定範囲内にないと判定した場合（Ｓ１３２でＮＯ）、第２の連写モードでの連写動作中に自動露出制御を行わない（Ｓ１４０）。【選択図】図５
2019071536.tif 000002
【特許請求の範囲】
【請求項１】
露出を自動で設定する自動露出機能を有し、連写撮影が可能な撮像装置であって、
設定された露出で被写体を撮影し画像データを生成する撮像部と、
前記自動露出機能により設定された露出を補正するための露出補正値と、第１の連写モード及び前記第１の連写モードよりも高速に連写を行う第２の連写モードを含む連写モードとを設定する操作部と、
前記自動露出機能を実現するための自動露出制御を行う制御部と、を備え、
前記制御部は、
前記操作部において前記第２の連写モードが設定された際に露出補正値が所定範囲内にあるか否かを判定し、
前記露出補正値が所定範囲内にあると判定した場合、前記第２の連写モードでの連写動作中に前記自動露出制御を行い、
前記露出補正値が所定範囲内にないと判定した場合、前記第２の連写モードでの連写動作中に前記自動露出制御を行わない、
撮像装置。
【請求項２】
前記第２の連写モードにおいて、前記制御部は、連写におけるＮ枚目の画像の画像データに基づきＮ＋１枚目の画像の撮影時の露出を設定する、請求項１記載の撮像装置。
【請求項３】
前記第１の連写モードにおいて、連写におけるＮ枚目の画像に対して測光用画像と記録用画像がそれぞれ撮影され、前記制御部は、前記Ｎ枚目の画像に対する測光用画像の画像データに基づき前記Ｎ枚目の画像に対する記録用画像の撮影時の露出を設定する、請求項２記載の撮像装置。
【発明の詳細な説明】
【技術分野】
【０００１】
本開示は、自動露出機能を有し、連写撮影が可能な撮像装置に関する。
【背景技術】
【０００２】
特許文献１は、被写界を複数に分割して被写体の輝度を測定する多分割測光センサと、多分割測光センサから出力される測光データを記憶する記憶手段と、連続して複数の撮影を行う連続撮影モードの場合に、多分割測光センサの画素を複数のグループに分け、１回の撮影では１グループのみの測光データを記憶手段から取得し、次の撮影では、その１グループとは別のグループの測光データを上記記憶手段から取得して、複数の撮影で複数のグループの全ての測光データを記憶手段から取得するように制御する制御手段と、を具備したカメラを開示する。
【０００３】
特許文献１のカメラはこの構成により、多分割測光センサにおいて、画素が増えても測光システムを肥大化させず、連写への影響を与えることのないカメラを提供することを可能としている。
【先行技術文献】
【特許文献】
【０００４】
【特許文献１】特開２００６−１０６２００号公報
【発明の概要】
【発明が解決しようとする課題】
【０００５】
本開示は、連写撮影時においてユーザが意図しない露出の画像の生成を低減する撮像装置を提供する。
【課題を解決するための手段】
【０００６】
本開示の一態様において、露出を自動で設定する自動露出機能を有し、連写撮影が可能な撮像装置が提供される。撮像装置は、設定された露出で被写体を撮像し画像データを生成する撮像部と、自動露出機能により設定された露出を補正するための露出補正値と、第１の連写モード及び第１の連写モードよりも高速に連写を行う第２の連写モードを含む連写モードとを設定する操作部と、自動露出機能を実現するための自動露出制御を行う制御部と、を備える。制御部は、操作部において第２の連写モードが設定された際に露出補正値が所定範囲内にあるか否かを判定する。制御部は、露出補正値が所定範囲内にあると判定した場合、第２の連写モードでの連写動作中に自動露出制御を行い、露出補正値が所定範囲内にないと判定した場合、第２の連写モードでの連写動作中に自動露出制御を行わない。
【発明の効果】
【０００７】
本開示は、連写撮影時においてユーザが意図しない露出の画像の生成を低減する撮像装置を提供する。
【図面の簡単な説明】
【０００８】
【図１】本開示の撮像装置の一実施の形態であるデジタルカメラの電気的構成を示す図
【図２】実施の形態１のデジタルカメラにおける通常連写モードと高速連写モードとにおける露出動作の違いを説明するための図
【図３】実施の形態１のデジタルカメラにおける連写撮影時のメイン処理を示すフローチャート
【図４】図３に示すフローチャートにおける記録用ＥＶ値算出処理を示すフローチャート
【図５】図３に示すフローチャートにおける高速連写モード用処理を示すフローチャート
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１０】
［１−１．構成］
図１は、本開示の撮像装置の一実施の形態であるデジタルカメラの電気的構成を示す図である。デジタルカメラ１００は、光学系１１０を介して形成された被写体像を画像センサ１１５で撮像する。画像センサ１１５は撮像した被写体像に基づき画像データ（ＲＡＷデータ）を生成する。画像処理部１２０は、撮像により生成された画像データに対して各種処理を施す。コントローラ１３５は、画像処理部１２０にて処理された画像データをカードスロット１４０に装着されたメモリカード１４２に記録する。また、コントローラ１３５は、メモリカード１４２に記録された画像データを、使用者による操作部１５０の操作にしたがい液晶モニタ１３０上に表示させること（再生）ができる。
【００１１】
光学系１１０は、フォーカスレンズ、ズームレンズ、光学式手ぶれ補正レンズ（ＯＩＳ：Optical Image Stabilizer）、絞り、シャッタ、等を含む。光学系１１０に含まれる各種レンズは、何枚から構成されるものであっても、何群から構成されるものであってもよい。
【００１２】
画像センサ１１５は、光学系１１０を介して形成された被写体像を撮像して画像データを生成する。画像センサ１１５は、所定のフレームレート（例えば、３０フレーム／秒）で画像データを生成する。画像センサ１１５における、画像データの生成タイミングおよび電子シャッタ動作は、コントローラ１３５によって制御される。画像センサ１１５には、ＣＭＯＳイメージセンサ、ＣＣＤイメージセンサ、ＮＭＯＳイメージセンサなど、種々の画像センサを用いることができる。
【００１３】
画像処理部１２０は、画像センサ１１５から出力された画像データに対して各種の処理を施す。また、画像処理部１２０は、メモリカード１４２から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００１４】
液晶モニタ１３０は、デジタルカメラ１００の背面に備わる。液晶モニタ１３０は、画像処理部１２０にて処理された画像データに基づく画像を表示する。なお、液晶モニタに代えて、有機ＥＬモニタなど、他のモニタを用いてもよい。
【００１５】
コントローラ１３５はＣＰＵを含み、所定のプログラム（ソフトウェア）を実行することにより、デジタルカメラ１００全体の動作を統括制御する。また、コントローラ１３５は、画像処理部１２０などと共に１つの半導体チップにおいて構成されてもよい。図示していないが、コントローラ１３５はＲＯＭを内蔵する。ＲＯＭには、ＣＰＵにより実行される、オートフォーカス制御（ＡＦ制御）、自動露出制御（ＡＥ制御）及び通信制御に関するプログラムの他、デジタルカメラ１００全体の動作を統括制御するためのプログラムが記憶されている。コントローラ１３５は、所定の機能を実現するように専用に設計された電子回路でもよい。すなわち、コントローラ１３５は、ＣＰＵ、ＭＰＵ、ＧＰＵ、ＦＰＧＡ、ＤＳＰ、ＡＳＩＣのような種々の電子回路で実現できる。
【００１６】
バッファメモリ１２５は、画像処理部１２０やコントローラ１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００１７】
カードスロット１４０は、着脱可能なメモリカード１４２が挿入される手段である。カードスロット１４０は、メモリカード１４２を電気的及び機械的に接続可能である。メモリカード１４２は、内部にフラッシュメモリ等の記録素子を備えた外部メモリである。メモリカード１４２は、画像処理部１２０で生成される画像データなどのデータを格納できる。
【００１８】
フラッシュメモリ１４５は不揮発性の記録媒体である。フラッシュメモリ１４５は、撮影した画像を一時的に記録する。
【００１９】
操作部１５０は、デジタルカメラ１００の外装に設けられた操作釦や操作レバー等のハードキーの総称であり、使用者による操作を受け付ける。操作部１５０は、例えば、シャッタボタン、モードダイヤル、露出補正ダイヤル、ドライブモードダイヤル及び／又はタッチパネルを含む。また、操作部１５０は、タッチパネルを介して操作される液晶モニタ１３０上に表示されたメニュー、ボタン及び／又はアイコンも含む。操作部１５０はユーザによる操作を受け付けると、ユーザ操作に対応した操作信号をコントローラ１３５に送信する。
【００２０】
Ｗｉ-Ｆｉモジュール１５５は、通信規格ＩＥＥＥ８０２．１１またはＷｉ−Ｆｉ規格に準拠した通信を行う通信モジュール（回路）である。デジタルカメラ１００は、Ｗｉ-Ｆｉモジュール１５５を介して、Ｗｉ-Ｆｉモジュールを搭載した他の機器と通信することができる。デジタルカメラ１００は、Ｗｉ-Ｆｉモジュール１５５を介して、他の機器と直接通信を行ってもよいし、アクセスポイント経由で通信を行ってもよい。なお、Ｗｉ-Ｆｉモジュールに代えて、他の通信規格に準拠した通信を行う通信モジュールを使用してもよい。
【００２１】
Ｂｌｕｅｔｏｏｔｈ（登録商標）モジュール１６０は、通信規格ＩＥＥＥ８０２．１５．１すなわちＢｌｕｅｔｏｏｔｈ規格に準拠した通信を行うためのモジュール（回路）である。デジタルカメラ１００は、Ｂｌｕｅｔｏｏｔｈモジュール１６０を介して他の機器とＢｌｕｅｔｏｏｔｈ規格に準拠した通信を行うことができる。
【００２２】
［１−２．動作］
以上のように構成されたデジタルカメラ１００の連写時の動作を以下に説明する。
【００２３】
デジタルカメラ１００は自動で露出を設定する自動露出（ＡＥ：Auto Exposure）機能を有する。自動露出機能では、画像センサ１１５により所定の周期で生成される画像データに基づき画像（すなわち被写体）の明るさが検出され、その明るさに基づき適正な露出量（以下「ＥＶ値」という）が決定される。そして、決定された適正なＥＶ値に基づき露出（具体的には、絞り、シャッタ速度、ＩＳＯ感度）が制御される。このように自動露出機能では、画像（すなわち被写体）の明るさに基づき適正なＥＶ値が決定される。
【００２４】
デジタルカメラ１００の自動露出機能により決定された露出（ＥＶ値）が必ずしもユーザの意図する露出となるとは限らない。このため、デジタルカメラ１００は、カメラが自動で決定した露出をユーザが調整できる露出補正機能を有する。露出補正では、カメラが自動で決定した露出がユーザが設定した露出補正値にしたがい補正される。本実施の形態では、露出補正値は−５ＥＶから＋５ＥＶまでの１１段階に露出補正ダイヤルを用いて設定することができるが、露出補正の段数はこれに限られない。
【００２５】
デジタルカメラ１００は、ユーザによりシャッタボタンが押され続けている間、所定の時間間隔で連続して静止画を撮影する連写モードを有する。連写モードとして、デジタルカメラ１００は、第１の速度で連写を行う通常連写モード（第１の連写モードの一例）と、第１の速度よりも高速な第２の速度で連写を行う高速連写モード（第２の連写モードの一例）とを有する。通常連写モードでは、例えば１秒間に１０枚の静止画を撮影でき、高速連写モードでは、例えば１秒間に６０枚の静止画を撮影できる。なお通常連写モード及び高速連写モードの設定は、ドライブモードダイヤルを用いて設定することができる。
【００２６】
図２は、デジタルカメラ１００における通常連写モードと高速連写モードのそれぞれにおいて自動露出制御を行う場合に実行される画像撮影を説明した図である。
【００２７】
図２（Ａ）に示すように通常連写モードでは、Ｎ枚目の静止画に対して、測光用画像と記録用画像とが撮影される。測光用画像は、画像（被写体）の明るさを検出し、記録用画像の撮影時の適正なＥＶ値を決定するために使用される画像である。記録用画像は、最終的にメモリカード１４２に記録される画像である。Ｎ枚目の静止画に対する測光用画像は、Ｎ枚目の静止画に対する記録用画像の適正なＥＶ値の決定に使用される。このように、通常連写モードでは、１枚の静止画に対して二回の画像撮影が行われる。通常連写モードにおいて、測光用画像は露出補正がない状態、すなわち、±０ＥＶの露出補正値で撮像される。記録用画像は、自動露出で設定されるＥＶ値に対してユーザが適宜設定した露出補正値を反映させて撮像される。
【００２８】
他方、高速連写モードでは、１枚あたりの画像の撮影間隔が短くなるために、図２（Ｂ）に示すように、１枚の静止画の撮影期間においては画像撮影が１回のみ実施される。この場合、撮影された１つの画像が測光用画像としても記録用画像としても使用される。より具体的には、Ｎ枚目の静止画に対する画像データに基づきＮ＋１枚目の静止画の撮影時の露出が設定される。
【００２９】
上記のように、通常連写モードでは、測光用画像は測光に適した条件（すなわち、±０ＥＶの露出補正値）で撮影されるため、適正なＥＶ値の設定が可能となる。一方、高速連写モードでは、ユーザにより設定された露出補正値（すなわち、±αＥＶの露出補正）を反映して画像（測光及び記録用画像）が撮影され、その撮影された画像に基づいてＥＶ値が設定される。このとき、ユーザにより絶対値の大きな露出補正がなされると、撮影される画像が露出オーバーまたは露出アンダーとなり、露出が適切でない画像が記録されることがある。そのような露出が適切でない画像のデータに基づきＥＶ値を算出すると、適正なＥＶ値が算出されず、ユーザの意図した露出の画像が得られないという問題がある。
【００３０】
このような問題を解決するため、本実施の形態のデジタルカメラ１００では、高速連写モードに設定されかつ自動露出が設定されている場合に、ユーザにより所定範囲外の露出補正値が設定されているときは、高速連写動作中は、自動露出補正を行わないように制御する。これにより、絶対値の大きな露出補正値が設定された状態で高速連写が実行されたときに、不適切なＥＶ値が自動で設定されてしまい、ユーザの意図した露出の画像が得られないという課題を解決している。なお、本実施の形態では、露出補正の所定範囲は、一例として、−３ＥＶ以上＋３ＥＶ以下の範囲とする。
【００３１】
図３〜図５は、本実施の形態のデジタルカメラ１００における連写撮影動作時の露出設定及び画像の記録処理を示すフローチャートである。図３〜図５に示す処理は、デジタルカメラ１００のコントローラ１３５によって実行される。図３に示す処理は、デジタルカメラ１００が連写モードに設定されて、撮影待機状態すなわちライブビューが表示されている状態にあるときに開始される。
【００３２】
図３において、最初コントローラ１３５はライブビュー用露出制御（Ｓ１１〜Ｓ１６）を行う。具体的には、コントローラ１３５は、画像（被写体）の明るさを判定するために画像センサ１１５で生成された画像データ（ＲＧＢデータ）を取得する（Ｓ１１）。そして、コントローラ１３５は、取得した画像データに基づき明るさを認識して適正ＥＶ値（ＥＶprop）を算出する（Ｓ１２）。
【００３３】
その後、コントローラ１３５は、ユーザによりシャッタボタンが半押しされたか否かを検出する（Ｓ１３）。
【００３４】
シャッタボタンの半押しが検出されていない場合（Ｓ１３でＮＯ）、コントローラ１３５は、適正ＥＶ値（ＥＶprop）に対して、ユーザにより設定された露出補正値を反映させ、ライブビュー用のＥＶ値（ＥＶlive）を算出する（Ｓ１４）。ここで、ユーザにより設定された露出補正値が所定範囲（±３ＥＶ）を超えているときは、コントローラ１３５は、露出補正値を所定範囲内の値、すなわち、上限値（＋３ＥＶ）または下限値（−３ＥＶ）に制限する。例えば、ユーザにより設定された露出補正値が＋４ＥＶのときは、＋３ＥＶに制限する。また、ユーザにより設定された露出補正値が−４ＥＶのときは、−３ＥＶに制限する。そして、制限した露出補正値に基づきライブビューＥＶ値を算出する。
【００３５】
その後、コントローラ１３５は、ライブビュー用のＥＶ値（ＥＶlive）を用いてプログラム線図に基づき、次の画像撮影に使用するＡＶ値（絞り値）、ＴＶ値（シャッタ速度）、ＩＳＯ感度（ゲイン）を算出する（Ｓ１５）。そして、コントローラ１３５は、算出したＡＶ値、ＴＶ値、ＩＳＯ感度に基づき、次の画像撮影に使用する、光学系の絞り、電子シャッタのタイミング、ゲインを設定し（Ｓ１６）、ステップＳ１１に戻る。
【００３６】
一方、シャッタボタンの半押しが検出されると（Ｓ１３でＹＥＳ）、コントローラ１３５は、記録用ＥＶ値（ＥＶrec）を算出する（Ｓ１７〜Ｓ２１）。
【００３７】
まず、コントローラ１３５は、ライブビュー用露出制御において算出された適正ＥＶ値（ＥＶprop）にユーザにより設定された露出補正値を反映させて記録用ＥＶ値（ＥＶrec）を算出する（Ｓ１７）。
【００３８】
そして、コントローラ１３５は、記録用ＥＶ値（ＥＶrec）を用いてＡＶ値、ＴＶ値、ＩＳＯ感度を算出し（Ｓ１８）、さらに、算出したＡＶ値、ＴＶ値、ＩＳＯ感度に基づき、次の画像撮影に使用する、絞り、電子シャッタのタイミング、ゲインを設定する（Ｓ１９）。
【００３９】
その後、コントローラ１３５は、ユーザによりシャッタボタンが全押しされたか否かを検出する（Ｓ２０）。
【００４０】
シャッタボタンの全押しが検出されていない場合（Ｓ２０でＮＯ）、コントローラ１３５は、記録用ＥＶ値更新処理（Ｓ２１）を実行し、ステップＳ１８に戻る。
【００４１】
図４に、記録用ＥＶ値更新処理（Ｓ２１）の詳細を示す。記録用ＥＶ値更新処理（Ｓ２１）では、コントローラ１３５は、まず、デジタルカメラ１００が連写中に自動露出動作を実行するように設定されているか否かを判断する（Ｓ１１０）。ここで、デジタルカメラ１００は、連写中に自動露出動作を実行するか否かを設定することができるようになっている。
【００４２】
デジタルカメラ１００が連写中に自動露出動作を実行するように設定されていない場合（Ｓ１１０でＮＯ）、コントローラ１３５は図４の処理を終了する。この場合、記録用ＥＶ値（ＥＶrec）は更新されない。デジタルカメラ１００が連写中に自動露出動作を実行するように設定されている場合（Ｓ１１０でＹＥＳ）、コントローラ１３５は、デジタルカメラ１００が高速連写モードに設定されているか否かを判断する（Ｓ１１１）。
【００４３】
デジタルカメラ１００が高速連写モードに設定されていない場合（Ｓ１１１でＮＯ）、すなわち、通常連写モードである場合、コントローラ１３５は、画像センサ１１５からのデータに基づく画像データを取得する（Ｓ１１３）。コントローラ１３５は、画像データから適正ＥＶ値（ＥＶprop）を算出する（Ｓ１１４）。そして、コントローラ１３５は、適正ＥＶ値（ＥＶprop）に露出補正値を反映させて記録用ＥＶ値（ＥＶrec）を算出する（Ｓ１１５）。このように、画像データに基づき記録用ＥＶ値（ＥＶrec）が更新される。
【００４４】
デジタルカメラ１００が高速連写モードに設定されている場合（Ｓ１１１でＹＥＳ）、コントローラ１３５は、設定されている露出補正値が所定範囲内であるか否かを判断する（Ｓ１１２）。所定範囲は−３ＥＶ以上＋３ＥＶ以下の範囲である。露出補正値が所定範囲内である場合（Ｓ１１２でＹＥＳ）、コントローラ１３５は、上述のようにして記録用ＥＶ値（ＥＶrec）を更新する（Ｓ１１３〜Ｓ１１５）。
【００４５】
しかし、デジタルカメラ１００が高速連写モードに設定され（Ｓ１１１でＹＥＳ）、かつ、露出補正値が所定範囲外である場合（Ｓ１１２でＮＯ）、コントローラ１３５は、ステップＳ１１３〜Ｓ１１５を行わずに図４の処理を終了する。この場合、記録用ＥＶ値（ＥＶrec）は更新されない。
【００４６】
このように、記録用ＥＶ値更新処理（Ｓ２１）では、連写中に自動露出動作を行う設定の場合、基本的に、フレーム毎に、画像センサから出力されたデータと露出補正値に基づいて記録用ＥＶ値（ＥＶrec）が更新される。しかしながら、高速連写モードにおいて、露出補正値が所定範囲外のときは、記録用ＥＶ値（ＥＶrec）は更新されない。この場合、シャッタボタンの半押し時に設定されていた適正ＥＶ値（ＥＶprop）に基づいて算出された記録用ＥＶ値（ＥＶrec）が使用される。
【００４７】
図３に戻り、シャッタボタンの全押しが検出されるまで（Ｓ２０）、ステップＳ１８〜Ｓ２１が繰り返される。シャッタボタンの全押しが検出されると（Ｓ２０でＹＥＳ）、連写画像の撮影および記録が行われる（Ｓ２２〜Ｓ２４）。
【００４８】
具体的には、シャッタボタンの全押しが検出されると（Ｓ２０でＹＥＳ）、コントローラ１３５は、デジタルカメラ１００が高速連写モードに設定されているか否かを判断する（Ｓ２２）。
【００４９】
デジタルカメラ１００が高速連写モードでない場合（Ｓ２２でＮＯ）、すなわち、通常連写モードである場合、コントローラ１３５は、通常連写モード用処理を実行する（Ｓ２３）。この処理では、図２（Ａ）に示すように、１つの画像（フレーム）毎に、測光用画像が撮像され、測光用画像の画像データと露出補正値に基づき記録用ＥＶ値（ＥＶrec）が算出される。そして、記録用ＥＶ値（ＥＶrec）に基づき、ＡＶ値、ＴＶ値、ＩＳＯ感度が算出され、さらに、それらに基づき、画像撮影のための、絞り、電子シャッタ、ゲインが設定される。それらの設定されたパラメータでデジタルカメラ１００が制御され、記録用画像が撮影される。そして、記録用画像の画像データがメモリカード１４２に記録される。
【００５０】
デジタルカメラ１００が高速連写モードである場合（Ｓ２２でＹＥＳ）、コントローラ１３５は、高速連写モード用処理を実行する（Ｓ２４）。以下、図５のフローチャートを参照して、高速連写モード用処理の詳細を説明する。
【００５１】
高速連写モード用処理では、コントローラ１３５は、まず、連写の１枚目の画像を撮影する（Ｓ１３０）。１枚目の画像については、記録用ＥＶ値算出処理（Ｓ１７〜Ｓ２０）において直前に設定された絞り等の設定にしたがい画像が撮影される。また、コントローラ１３５は、１枚目の画像に対して設定された記録用ＥＶ値（ＥＶrec）を２枚目の画像に対する記録用ＥＶ値に設定する。
【００５２】
次に、コントローラ１３５は、デジタルカメラ１００が連写中に自動露出動作を実行するように設定されているか否かを判断する（Ｓ１３１）。デジタルカメラ１００が連写中に自動露出動作を実行するように設定されていない場合（Ｓ１３１でＮＯ）、コントローラ１３５は、１枚目（現画像）に対して設定された記録用ＥＶ値を２枚目（次の画像）の記録用ＥＶ値に設定する（Ｓ１４０）。
【００５３】
一方、デジタルカメラ１００が連写中に自動露出動作を実行するように設定されている場合（Ｓ１３１でＹＥＳ）、コントローラ１３５は、露出補正値が所定範囲（−３ＥＶ以上かつ＋３ＥＶ以下）内であるか否かを判断する（Ｓ１３２）。
【００５４】
露出補正値が所定範囲内である場合（Ｓ１３２でＹＥＳ）、コントローラ１３５は、１つ前の周期で撮影された画像の画像データを取得する（Ｓ１３３）。コントローラ１３５は、取得した画像データに基づき適正ＥＶ値（ＥＶprop）を算出する（Ｓ１３４）。コントローラ１３５は、適正ＥＶ値（ＥＶprop）に露出補正値を反映させて記録用ＥＶ値（ＥＶrec）を算出する（Ｓ１３５）。
【００５５】
一方、露出補正値が所定範囲外である場合（Ｓ１３２でＮＯ）、コントローラ１３５は、現画像に対して設定されている記録用ＥＶ値を次の画像に対する記録用ＥＶ値に設定する（Ｓ１４０）。このように、高速連写モードにおいて露出補正値が所定範囲外である場合、前の画像に設定された記録用ＥＶ値（ＥＶrec）がそのまま次の画像に対しても設定される。すなわち、シャッタボタン半押し直後に設定された記録用ＥＶ値（ＥＶrec）が、高速連写モードでの連写中において継続的に使用され、連写中に取得される画像データ毎に記録用ＥＶ値（ＥＶrec）が更新されることがない。シャッタボタン半押し直後に設定されている記録用ＥＶ値（ＥＶrec）には、ユーザが設定した露出補正値が反映されているため（図３のステップＳ１７参照）、ユーザの意図した露出での画像が記録される。このように、高速連写モードにおいて露出補正値が所定範囲外である場合は、連写動作中に自動露出制御は実行されない。
【００５６】
その後、コントローラ１３５は、設定された記録用ＥＶ値（ＥＶrec）を用いてＡＶ値、ＴＶ値、ＩＳＯ感度を算出する（Ｓ１３６）。そして、コントローラ１３５は、算出したＡＶ値、ＴＶ値、ＩＳＯ感度に基づき、次の画像（フレーム）で使用する、絞り、電子シャッタ、ゲインを設定する（Ｓ１３７）。コントローラ１３５は、前の周期で設定された絞り、電子シャッタ、ゲインにしたがい２枚目の画像を撮影し、撮影した画像の画像データをメモリカード１４２に記録する（Ｓ１３８）。
【００５７】
以後、同様に連写撮影が終了するまで上述のステップＳ１３１〜Ｓ１４０が繰り返されることにより、３枚目以後の画像が撮影され、それらの画像データがメモリカード１４２に記録される。連写撮影は、ユーザによりシャッタボタンが全押しされている間継続される。よって、シャッタボタンの全押しの終了を検出することにより、連写撮影の終了を判断することができる。
【００５８】
以上のように、本実施の形態のデジタルカメラ１００では、高速連写を実行する場合、連写中に自動露出を行う設定がなされていても、ユーザにより設定された露出補正値が所定範囲外にある場合は、連写中に撮像された画像データに基づく自動露出制御を行わない（Ｓ１３２でＮＯ、Ｓ１４０）。この場合、シャッタボタンの半押し直後に設定された、露出補正値が反映されたＥＶ値に基づき露出が設定される。これにより、所定範囲外の露出補正値が設定されたときに自動露出により不適切な露出が設定されることを抑制でき、ユーザの意図しない露出の画像が撮影されることを抑制できる。一方で、ユーザにより設定された露出補正値が所定範囲内にある場合は、高速連写における自動露出を実行する。この場合、ユーザの好みに応じた露出で画像を撮影できる。
【００５９】
［１−３．効果等］
以上のように本実施の形態のデジタルカメラ１００は、露出を自動で設定する自動露出機能を有し、連写撮影が可能な撮像装置である。デジタルカメラ１００は、設定された露出で被写体を撮像し画像データを生成する画像センサ１１５（撮像部の一例）と、自動露出機能により設定された露出を補正するための露出補正値と、通常連写モード（第１の連写モードの一例）及び通常連写モードよりも高速に連写を行う高速連写モード（第２の連写モードの一例）を含む連写モードとを設定する操作部１５０（操作部の一例）と、自動露出機能を実現するための自動露出制御を行うコントローラ１３５（制御部の一例）と、を備える。
【００６０】
コントローラ１３５は、操作部１５０において高速連写モードが設定された際に露出補正値が所定範囲内（例えば、−３ＥＶ以上＋３ＥＶ以下）にあるか否かを判定する（Ｓ１３２）。露出補正値が所定範囲内にあると判定した場合、コントローラ１３５は、高速連写モードでの連写動作中に自動露出制御を行う（Ｓ１３４〜１３５）。露出補正値が所定範囲内にないと判定した場合、コントローラ１３５は、第２の連写モードでの連写動作中に自動露出制御を行わない（Ｓ１４０）。
【００６１】
以上のように、高速連写モードにおいて、露出補正値が所定範囲内にあるときは自動露出制御を行うが、露出補正値が所定範囲外にあるときは自動露出制御を行わない。これにより、露出補正値が所定範囲外にある場合に、明るさ判定用の適切な露出の画像が得られないことに起因した不適切な自動露出制御の実施を低減でき、ユーザの意図しない露出の画像が撮影されることを低減できる。一方、露出補正値が所定範囲外にある場合は、自動露出制御を行うことで、ユーザの意図した露出の画像を撮影することができる。
【００６２】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００６３】
上記の実施の形態では、撮像装置の一例であるデジタルカメラ１００が通常連写モードと高速連写モードの２種類の連写モードを有する例を説明したが、撮像装置は連写速度が異なる３種類以上の連写モードを有してもよい。そのような場合に、図２（Ｂ）に示すように、１つの画像に対して記録用画像の撮影のみを行い、記録用画像のデータを用いて画像の明るさを判別し自動露出制御を行う連写モードに対して、上記の露出制御を適用することができる。
【００６４】
上記の実施の形態では、複数の静止画像データを生成する連写動作時における露出制御について説明したが、上記の露出制御は動画撮影動作に対しても適用することができる。すなわち、動画撮影動作において、図２（Ｂ）に示すように、１つのフレーム画像に対して記録用画像の撮影のみを行い、記録用画像のデータを用いて画像の明るさを判別し自動露出制御を行う場合に、上記の露出制御を同様に適用することができる。
【００６５】
上記の実施の形態では、撮像装置の一例としてデジタルカメラを説明した。しかし、撮像装置はデジタルカメラに限定されず、ビデオカメラ、スマートフォン等、連写機能を有する装置であればよい。
【００６６】
以上のように、本開示における技術の例示として、実施の形態を説明した。そのために、添付図面および詳細な説明を提供した。
【００６７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６８】
また、上述の実施の形態は、本開示における技術を例示するためのものであるから、特許請求の範囲またはその均等の範囲において種々の変更、置き換え、付加、省略などを行うことができる。
【産業上の利用可能性】
【００６９】
本開示は、露出を自動で設定する自動露出機能を有し、連写撮影が可能な撮像装置に有用である。
【符号の説明】
【００７０】
１００  デジタルカメラ
１１０  光学系
１２０  画像処理部
１３０  液晶モニタ
１３５  コントローラ
１４２  メモリカード
１５０  操作部
【図１】
2019071536.tif 000003
【図２】
2019071536.tif 000004
【図３】
2019071536.tif 000005
【図４】
2019071536.tif 000006
【図５】
2019071536.tif 000007